(57)【要約】【課題】後側板の貼着せずに後側板の強度を高め、蓋板を開けた状態でも後側板を確実に起立させることのできる蓋付きカートンを提供する。【解決手段】底板１０の四辺に左右側板１１，１２，１３，１４及び前後側板２０，２２，２４を有して箱状に形成されたカートン本体１と、後側板２４に連接されカートン本体１の上面開口を覆って施蓋する蓋板２とを備え、左右側板１１，１２，１３，１４と後側板２４の両側にそれぞれ折れ線を介して連接され、かつ底板１０のそれぞれの隅角部から折れ線で二分される折込板２７を有し、この折込板２７に固定板３０を挟み込んで固定する。【選択図】図１
2007182249.tif 000002
【特許請求の範囲】
【請求項１】
底板の四辺に左右側板及び前後側板を有して箱状に形成されたカートン本体と、前記後側板に連接され前記カートン本体の上面開口を覆って施蓋する蓋板とを備えた蓋付きカートンであって、
前記左右側板と前記後側板の両側にそれぞれ折れ線を介して連接され、かつ前記底板のそれぞれの隅角部から折れ線で二分される折込板を有し、当該折込板に固定板を挟み込んで固定することを特徴とする蓋付きカートン。
【請求項２】
請求項１に記載の蓋付きカートンにおいて、
前記固定板は、前記折込板に差し込まれる差込板と、当該差込板に連接された保持板とで前記折込板を挟み込むことを特徴とする蓋付きカートン。
【請求項３】
請求項２に記載の蓋付きカートンにおいて、
前記保持板には、前記底板に当接する底固定板が連接されていることを特徴とする蓋付きカートン。
【請求項４】
請求項３に記載の蓋付きカートンにおいて、
前記底固定板は、前記カートン本体内に嵌合する中敷に形成されていることを特徴とする蓋付きカートン。
【請求項５】
請求項４に記載の蓋付きカートンにおいて、
前記中敷に仕切板が形成されていることを特徴とする蓋付きカートン。
【発明の詳細な説明】
【技術分野】
【０００１】
本発明は、底板の四辺に左右側板及び前後側板を有して箱状に形成されたカートン本体の上面開口を蓋板により施蓋するとともに、この蓋板を開蓋した際にも後側板を確実に起立させる蓋付きカートンに関する。
【背景技術】
【０００２】
従来、この種の蓋付きカートンは、多くは手作業が中心で組み立てられ、如何に早く綺麗に組み立てるかが重要な課題となっている。そして、この種の蓋付きカートンは、例えば特許文献１及び２に開示されたものがある。特許文献１に開示された発明では、後側板が左補強外側板及び右補強外側板の端部を互いに係合させるようになっている。また、特許文献２に開示された発明では、外装用箱として組み立てる際、後側板は、それぞれのフラップが互いにその先端部同士をそれぞれの切込部にて交差させて差し込み係合させている。
【０００３】
すなわち、特許文献１に開示された発明では、左補強外側板及び右補強外側板の端部をそれぞれの切込部にて交差させて差し込み係合させ、また特許文献２に開示された発明では、フラップの先端部同士をそれぞれの切込部にて交差させて差し込み係合させて箱内部の後側板を形成することで、他の三方の側板と合わせて四方の側板を形成し収納部を形成している。そして、後側板と連接された蓋板で上記収納部を覆って箱を完成していた。
【０００４】
さらに、特許文献３に開示された発明では、後側板に折込みフラップを貼着するか、あるいは貼着しないでもよいとしている。
【特許文献１】特開２００５−１８７０１０公報
【特許文献２】特開平１０−２７８９２２号公報
【特許文献３】特開平１１−２３６０２９号公報
【発明の開示】
【発明が解決しようとする課題】
【０００５】
しかしながら、上述した特許文献１及び２に開示された発明では、それぞれ左補強外側板及び右補強外側板の端部同士、あるいはフラップの先端部同士をそれぞれの切込部にて交差させて差し込み係合させて後側板を形成しているので、蓋板を開けた状態において、後側板を確実に起立することができず、強度的にも弱いという問題があった。
【０００６】
また、特許文献３に開示された発明では、後側板に折込みフラップを貼着しない場合、同様に蓋板を開けた状態において、後側板を確実に起立することができず、強度的にも弱いものであった。また、後側板に折込みフラップを貼着した場合でも、依然として後側板を望ましい強度とすることができず、また貼着作業が必要になるという問題があった。
【０００７】
本発明は、上記事情を考慮してなされたもので、その目的とするところは、後側板の貼着せずに後側板の強度を高め、蓋板を開けた状態でも後側板を確実に起立させることのできる蓋付きカートンを提供することにある。
【課題を解決するための手段】
【０００８】
上記課題を解決するため、本発明は次のような構成を採用する。
【０００９】
すなわち、請求項１に係る発明は、底板（１０）の四辺に左右側板（１１，１２，１３，１４）及び前後側板（２０，２２，２４）を有して箱状に形成されたカートン本体（１）と、後側板（２４）に連接されカートン本体（１）の上面開口を覆って施蓋する蓋板（２）とを備えた蓋付きカートンであって、左右側板（１１，１２，１３，１４）と後側板（２４）の両側にそれぞれ折れ線を介して連接され、かつ底板（１０）のそれぞれの隅角部から折れ線で二分される折込板（２７）を有し、この折込板（２７）に固定板（３０）を挟み込んで固定することを特徴とする。
【００１０】
請求項２に係る発明は、請求項１に記載の蓋付きカートンにおいて、固定板（３０）は、折込板（２７）に差し込まれる差込板（３１）と、この差込板（３１）に連接された保持板（３２）とで前記折込板を挟み込むことを特徴とする。
【００１１】
請求項３に係る発明は、請求項２に記載の蓋付きカートンにおいて、保持板（３２）には、底板（１０）に当接する底固定板（３３）が連接されていることを特徴とする。
【００１２】
請求項４に係る発明は、請求項３に記載の蓋付きカートンにおいて、底固定板（３３）は、カートン本体（１）内に嵌合する中敷（３４）に形成されていることを特徴とする。
【００１３】
請求項５に係る発明は、請求項４に記載の蓋付きカートンにおいて、中敷（３４）に仕切板（３５）が形成されていることを特徴とする。
【発明の効果】
【００１４】
本発明によれば、左右側板（１１，１２，１３，１４）と後側板（２４）の両側にそれぞれ折れ線を介して連接され、かつ底板（１０）のそれぞれの隅角部から折れ線で二分される折込板（２７）を有し、この折込板（２７）に固定板（３０）を挟み込んで固定することから、後側板（２４）を貼着せずに後側板（２４）の強度を高め、蓋板（２）を開けた状態でも確実に後側板（２４）を起立させ、綺麗な箱状のカートン本体（１）を形成することが可能となる。
【発明を実施するための最良の形態】
【００１５】
次に、本発明の実施形態について図面を参照して説明する。
【００１６】
図１は本発明に係る蓋付きカートンの一実施形態においてカートン本体が開口した状態を示す斜視図、図２は本実施形態における蓋付きカートンのブランクを示す展開図である。なお、本実施形態の蓋付きカートンは、例えば菓子等の土産品や弁当を収納するものである。また、本実施形態の蓋付きカートンのブランクは、板紙、段ボール等のシートをプレス装置等で打抜くことにより製造される。
【００１７】
図１に示すように、本実施形態の蓋付きカートンは、上面が開口した立方体又は直方体の箱に形成されたカートン本体１と、このカートン本体１の上面開口の後縁に連接され、カートン本体１の上面開口を覆って施蓋するとともに、上面開口に対して開閉可能な蓋板２とを備えている。
【００１８】
ここで、以下の実施形態では、カートン本体１において蓋板２が連接された側を後側とし、この後側に対向する側を前側とし、この前側から見てそれぞれ左側、右側として説明する。
【００１９】
図２に示すように、本実施形態の蓋付きカートンのブランクは、正方形若しくは長方形状をなす底板１０を有し、この底板１０の対向する一対端部にそれぞれ折れ線ａを介して左外側板１１及び右外側板１２と、これら左右外側板１１，１２の外側に幅折れ線ｂを介して左内側板１３及び右内側板１４と、折れ線ｃを介して左固定板１５及び右固定板１６とが順次連接されている。
【００２０】
左外側板１１及び右外側板１２は、それぞれ前側に折れ線ｅを介して支持板１８，１８が連接されている。そして、左内側板１３及び右内側板１４と左固定板１５及び右固定板１６との間には、それぞれ前側に開口する切込部１９，１９が形成されている。
【００２１】
また、底板１０の対向する他の一対端部のうち一方端部には、折れ線ｆを介して前外側板２０と、この前外側板２０の外側に幅折れ線ｈを介して前外側板２０と同一幅の前内側板２２と、この前内側板２２の外側に折れ線ｉを介して固定板２３とが順次連接されている。
【００２２】
ここで、前外側板２０及び前内側板２２は、左外側板１１、右外側板１２、左内側板１３及び右内側板１４とそれぞれ同一幅に形成されている。また、幅折れ線ｈも幅折れ線ｂと同一幅に形成されている。
【００２３】
さらに、固定板２３には、前内側板２２の両側からそれぞれ切込部１９，１９に差し込んで係止可能な長さに張り出す張出し片２３ａ，２３ａが一体に形成されている。
【００２４】
また、底板１０の対向する他の一対端部のうち他方端部には、折れ線ｊを介して後側板２４と、この後側板２４の外側に折れ線ｋを介して外蓋板２５と、この外蓋板２５の外側に折れ線ｌを介して内蓋板２６とが順次連接されている。これら外蓋板２５及び内蓋板２６は、内蓋板２６を折り畳んで外蓋板２５に重ねた際、互いの全面が重なるように同一幅で同一長さに形成されている。そして、後側板２４は、左外側板１１、右外側板１２、左内側板１３、右内側板１４、前外側板２０及び前内側板２２とそれぞれ同一幅に形成されている。
【００２５】
一方、左外側板１１及び右外側板１２のそれぞれと前外側板２０の両側と、左外側板１１及び右外側板１２のそれぞれと後側板２４の両側には、折れ線ｍ，ｎを介して連接され、かつ底板１０のそれぞれの隅角部から各折れ線ｍ，ｎに対して約４５°の角度の折れ線ｏで二分される４つの折込板２７をそれぞれ備えている。なお、本実施形態では、折れ線ｏの角度を約４５°として説明するが、この角度は４５°に限定するものではない。
【００２６】
なお、幅折れ線ｂ，ｈは、図１に示すようにそれぞれ互いに平行に近接する２本の折れ線ｂ１，ｂ２、折れ線ｈ１，ｈ２により形成され、蓋付きカートンとして組立て完成した後の二重側壁部の上端面となる部分である。
【００２７】
また、左固定板１５、右固定板１６及び固定板２３は、蓋付きカートンとして組み立てる際に、それぞれ底板１０内面と重ね合わせられて、接着剤等により貼着若しくは差し込み係止される部分である。すなわち、左固定板１５及び右固定板１６は、蓋付きカートンとして組み立てる際に、それぞれ底板１０内面と重ね合わせられて、接着剤等により貼着される。また、固定板２３は、蓋付きカートンとして組み立てる際に、それぞれ底板１０内面と重ね合わせられて、張出し片２３ａ，２３ａが切込部１９，１９に差し込み係止される。
【００２８】
さらに、支持板１８，１８は、蓋付きカートンとして組み立てる際に、前外側板２０を折れ線ｆで折り立て、幅折れ線ｈで前内側板２２を谷折りした場合、前外側板２０と前内側板２２とで挟持される。
【００２９】
そして、左外側板１１及び左内側板１３、右外側板１２及び右内側板１４は、蓋付きカートン１として組み立てた際、二重側壁部となる。同様に、前外側板２０及び前内側板２２も組み立てた際に二重側壁部となる。したがって、本実施形態では、三方側面に二重側壁部が形成されることになる。
【００３０】
図３は本実施形態の蓋付きカートンに組み付けられる固定板３０のブランクを示す展開図である。
【００３１】
図３に示すように、固定板３０は、先端に円弧部３１ａが形成された差込板３１を有し、差込板３１には、折れ線ｓを介して後側板２４及び差込板３１と同一幅の保持板３２と、この保持板３２の外側に折れ線ｔを介して底板１０に当接する底固定板３３とが順次連接されている。
【００３２】
そして、固定板３０は、蓋付きカートンとして組み立てた際、固定底板３３がカートン本体１の底板１０に当接し、差込板３１が折れ線ｏで折り込まれた折込板２７と後側板２４との間に差し込まれる。これにより、折込板２７は、差込板３１及び保持板３２で狭持されることになる。
【００３３】
次に、図２及び図３に示したブランクに基づいて本実施形態の蓋付きカートンの組立て順序を図１及び図４〜図１２に従って説明する。
【００３４】
まず、図４及び図５に示すように、底板１０の対向する一対の折れ線ａ，ａを介してそれぞれ左外側板１１及び右外側板１２を同一方向に直角に折り立て、続いて折れ線ａと同一方向に折れ線ｂ１，ｂ２を直角に折り曲げて、互いに左外側板１１と右外側板１２とを平行に対向させ、さらに対向する左固定板１５及び右固定板１６ａを、折れ線ａと反対方向（場合によっては同一方向でもよい）に折れ線ｃを介して直角に折り曲げた後、底板１０の内面に重ね合わせて貼着して固定し、図６に示すように互いに対向する一対の二重側壁部を形成する。
【００３５】
次いで、図５に示すように内蓋板２６を折れ線ｌを介して折り畳んで外蓋板２５に重ね、図６に示すように接着剤等により両者を貼着することにより蓋板２が形成される。そして、図７に示すように支持板１８，１８を折れ線ｅを介して内側に直角に折り曲げる。
【００３６】
続いて、左外側板１１及び右外側板１２のそれぞれと前外側板２０の両側に連接された各折込板２７を折れ線ｍ，ｎ，ｏを介して内側に折り込んで、折込板２７を対向しない二重側壁部を構成する前外側板２０に重ねる。そして、前外側板２０を折れ線ｆを介して内側に直角に折り曲げた後、前内側板２２を折れ線ｈ１，ｈ２を介して同一方向（内方）に直角に折り曲げ、固定板２３を折れ線ｉを介して折れ線ｆと反対方向（場合によっては同一方向でもよい）に直角に折り曲げた後、図８に示すように底板１０の内面に重ね合わせて切込部１９，１９に固定板２３の張出し片２３ａ，２３ａを差し込んで固定して底板１０の三辺に二重側壁部を形成する。
【００３７】
次に、左外側板１１及び右外側板１２のそれぞれと後側板２４の両側に連接された折込板２７を折れ線ｍ，ｎ，ｏを介して内側に折り込む。そして、図９に示すように固定板３０の保持板３２を折れ線ｔを介して直角に折り曲げ、差込板３１を折れ線ｓを介して保持板３２に対して鋭角に折り曲げる。次いで、この固定板３０の底固定板３３をカートン本体１の底板１０に当接させ、接着剤等により貼着して固定し、差込板３１を折れ線ｍ，ｎ，ｏで内側に折り込まれた折込板２７と後側板２４との間に差し込んで固定し、図１に示すような本実施形態の蓋付きカートンを形成する。
【００３８】
そして、図１に示すように箱状に形成された蓋付きカートンの内部に、例えば菓子等の土産品や弁当等の食品を収納した後、互いに貼着された内蓋板２６及び外蓋板２５からなる蓋板２を折れ線ｋを介して内側に直角に折り曲げて、上部の開口を施蓋する。そして、適宜カートン本体１及び蓋板２を図示しないシュリンクフィルムにより覆うか、あるいは図示しないシールをカートン本体１及び蓋板２に貼着してカートン本体１に蓋板２を閉止することで組立てを完了する。
【００３９】
このように本実施形態によれば、左外側板１１及び右外側板１２のそれぞれと後側板２４の両側に、それぞれ折れ線ｍ，ｎを介して連接され、かつ底板１０のそれぞれの隅角部から各折れ線ｍ，ｎに対して約４５°の角度の折れ線ｏで二分される折込板２７を有し、この折込板２７に固定板３０を挟み込んで固定することから、後側板２４を接着せずに後側板２４が補強されることとなり、蓋板２を開けた状態でも後側板２４を確実に起立させ、綺麗な箱状のカートン本体１を形成することが可能となる。
【００４０】
また、本実施形態によれば、固定板３０は、折込板２７に差し込まれる差込板３１と、この差込板３１に連接された保持板３２とで折込板２７を挟み込むことにより、後側板２４を大幅に補強することができ、蓋板２を開けた状態でも後側板２４を確実に起立させることができる。
【００４１】
図１２は本実施形態における固定板の変形例を示す斜視図である。なお、前記実施形態と同一又は対応する部分には、同一の符号を用いて説明する。
【００４２】
図１２に示すように、本変形例の固定板３０Ａは、前記実施形態の底固定板３３が蓋付きカートンとして組み立てた際の開口底面と同等の大きさの中敷板３４に形成されている。この中敷板３４には、所定の部位を打抜き、折れ線ｕを介して垂直に折り起した仕切板３５が形成されている。
【００４３】
そして、固定板３０Ａは、蓋付きカートンとして組み立てた際、その開口底面と同等の大きさの中敷板３４がカートン本体１の底板１０に当接するまで嵌合することになる。
【００４４】
このように本変形例によれば、蓋付きカートンとして組み立てた際、その開口底面と同等の大きさの中敷板３４がカートン本体１の底板１０に当接するまで嵌合するので、開口底面に露出する左固定板１５、右固定板１６及び固定板２３を中敷板３４により隠すことができ、また底板１０をも補強することができる。
【００４５】
また、本変形例によれば、中敷板３４に仕切板３５が形成されていることから、仕切部材を別途設けることがなくなり、部材の数を削減することができる。
【００４６】
なお、本発明は、上記実施形態に限定されることなく、種々の変更が可能である。例えば、上記実施形態では、カートン本体１を立方体又は直方体の箱に形成した例について説明したが、その他の多角形の立体に形成した場合でも適用可能である。
【００４７】
また、本実施形態では、カートン本体１の三辺に二重側壁部を形成した例について説明したが、二重ではなく、単なる側壁部にも適用可能である。
【図面の簡単な説明】
【００４８】
【図１】本発明に係る蓋付きカートンの一実施形態においてカートン本体が開口した状態を示す斜視図である。
【図２】本実施形態における蓋付きカートンのブランクを示す展開図である。
【図３】本実施形態の蓋付きカートンに組み付けられる固定板のブランクを示す展開図である。
【図４】図２のブランクの組立て手順を示す斜視図である。
【図５】図２のブランクの組立て手順を示す斜視図である。
【図６】図２のブランクの組立て手順を示す斜視図である。
【図７】図２のブランクの組立て手順を示す斜視図である。
【図８】図２のブランクの組立て手順を示す斜視図である。
【図９】図３の固定板のブランクを折り曲げた状態を示す斜視図である。
【図１０】本実施形態のカートン本体に固定板を組み付ける状態を示す斜視図である。
【図１１】本実施形態の蓋付きカートンの組立て完了状態を示す斜視図である。
【図１２】本実施形態における固定板の変形例を示す斜視図である。
【符号の説明】
【００４９】
１…カートン本体
２…蓋板
１０…底板
１１…左外側板
１２…右外側板
１３…左内側板
１４…右内側板
１５…左固定板
１６…右固定板
１８…支持板
１９…切込部
２０…前外側板
２２…前内側板
２３…固定板
２４…後側板
２５…外蓋板
２６…内蓋板
２７…折込板
３０…固定板
３１…差込板
３２…保持板
３３…底固定板
３４…中敷板
３５…仕切板
【図１】
2007182249.tif 000003
【図２】
2007182249.tif 000004
【図３】
2007182249.tif 000005
【図４】
2007182249.tif 000006
【図５】
2007182249.tif 000007
【図６】
2007182249.tif 000008
【図７】
2007182249.tif 000009
【図８】
2007182249.tif 000010
【図９】
2007182249.tif 000011
【図１０】
2007182249.tif 000012
【図１１】
2007182249.tif 000013
【図１２】
2007182249.tif 000014